(57)【特許請求の範囲】
【請求項１】
背枠の前面にネット部材を張設した椅子の背凭れ構造において、前記背枠が、ネット部材の周縁部が止着された前面枠と、この前面枠における上部の左右方向を向く上枠の両端部に、中央部が前記上枠より後方に離間するようにして、両端部を結合することによって、前記前面枠のみに支持された左右方向を向く上補強枠とを備え、前記ネット部材の上部を、前記前面枠における上枠の前面から上面を経て後面へ巻き付けたことを特徴とする椅子の背凭れ構造。
【請求項２】
背枠の前面にネット部材を張設した椅子の背凭れ構造において、前記背枠が、ネット部材の周縁部が止着された前面枠と、この前面枠における下部の左右方向を向く下枠の両端部に、中央部が前記下枠より後方に離間するようにして、両端部を結合することによって、前記前面枠のみに支持された左右方向を向く下補強枠とを備え、前記ネット部材の下部を、前記前面枠における下枠の前面から下面を経て後面へ巻き付けたことを特徴とする椅子の背凭れ構造。
【請求項３】
背枠の前面にネット部材を張設した椅子の背凭れ構造において、前記背枠が、ネット部材の周縁部が止着された前面枠と、この前面枠における上部および下部の左右方向を向く上枠および下枠の両端部に、中央部が前記上枠および下枠より後方に離間するようにして、両端部を結合することによって、前記前面枠のみに支持された左右方向を向く上補強枠および下補強枠とを備え、前記ネット部材の上部を、前記前面枠における上枠の前面から上面を経て後面へ巻き付け、かつ前記ネット部材の下部を、前記前面枠における下枠の前面から下面を経て後面へ巻き付けたことを特徴とする椅子の背凭れ構造。
【請求項４】
前面枠が、左右方向を向く上下の上枠および下枠と、この上下枠の各端部同士を連結する左右の側枠とからなるものとし、ネット部材の両側縁に止着した縁材を、前面枠における左右の側枠の外側面に設けた長手方向を向く縦溝条に嵌合し、かつネット部材の上縁または下縁に止着した、先端部に鉤形部を有する縁材を、前記上枠の下面と前面との角部、または前記下枠の上面と前面との角部に係止することにより、ネット部材を前面枠に張設した請求項１〜３のいずれかに記載の椅子の背凭れ構造。
【請求項５】
前面枠が、左右方向を向く上下の上枠および下枠と、この上下枠の各端部同士を連結する左右の側枠とからなるものとし、前面枠における上枠および下枠を、左右の側枠より幅狭とした請求項１〜４のいずれかに記載の椅子の背凭れ構造。
【請求項６】
前面枠における上枠と左右の側枠と下補強枠とを一体的に形成し、かつ下枠の左右の両端部を、下補強枠に前方よりねじ止めした請求項２もしくは３、またはそれらのいずれかに従属する４もしくは５に記載の椅子の背凭れ構造。
【発明の詳細な説明】
【技術分野】
【０００１】
本発明は、背枠の前面にネット部材(織布、合成樹脂製シート等を含む)を張設した椅子の背凭れ構造に関する。
【背景技術】
【０００２】
従来、この種の椅子の背凭れ構造として、予めテンションが与えられたネット部材の周囲に、縁材をモールド成形により取り付け、この縁材を背枠の前面側に形成された溝条に嵌合して取付けることにより、背枠の前面にネット部材を張設したものが知られている(特許文献１参照)。
【先行技術文献】
【特許文献】
【０００３】
【特許文献１】特表平８−５０７９３５号公報
【特許文献２】特開２００４−４９６８５号公報
【発明の概要】
【発明が解決しようとする課題】
【０００４】
しかし、前者は、使用者が着座する時にネット部材に加わる力に対する背枠の撓みを防止するために、背枠の幅を大きくとる必要があり、また、ネット部材の周囲の縁材が嵌合する溝条が、背枠の前面側に形成されていて、背枠の周囲がネット部材から露出するため、背枠が椅子の外観に占める割合が大きすぎて、デザイン的なスマートさに欠けるという問題がある。
【０００５】
また、後者は、使用者が着座する時に、ネット部材に加わる力に対する背枠の撓みを、背枠と締付枠との２重の枠材により防止するようになっているため、背枠及び締付枠の幅を小さくすることができ、かつ、ネット部材が背枠の前面側全てを覆うため、背枠が椅子の外観に占める割合が小さくて、デザイン的にスマートになる。
【０００６】
しかし、背枠と締付枠との２重構造であるため、重量が大であり、かつ部品点数が多いため、組立に時間が掛かり、コスト高になるという問題がある。
【０００７】
本発明は、従来の技術が有する上記のような問題点に鑑み、背枠が椅子の外観に占める割合が小さく、デザイン的にスマートであり、軽量化、部品数の削減、および組立性の向上を図ることができるようにした椅子の背凭れ構造を提供することを目的としている。
【課題を解決するための手段】
【０００８】
本発明によると、上記課題は次のようにして解決される。
(１)  背枠の前面にネット部材を張設した椅子の背凭れ構造において、前記背枠が、ネット部材の周縁部が止着された前面枠と、この前面枠における上部の左右方向を向く上枠の両端部に、中央部が前記上枠より後方に離間するようにして、両端部を結合することによって、前記前面枠のみに支持された左右方向を向く上補強枠とを備え、前記ネット部材の上部を、前記前面枠における上枠の前面から上面を経て後面へ巻き付ける。
【０００９】
このような構成とすると、背枠の前面枠における上枠の両端部に、中央部が後方に離間する上補強枠の両端部を結合したので、上枠を幅広とすることなく、背枠の上部の強度を保つことができ、デザイン的にスマートな印象を与えることができるだけでなく、従来の２重の枠材を用いるものより軽量化、部品点数の削減、および組立性の向上を図ることができる。
また、着座者が背凭れに凭れた際に、上補強枠で強度を維持しつつ、上枠の中央部が後方へ若干弾性撓曲することができ、ソフトな着座感を得ることができる。
さらに、上補強枠を設けたことにより、ネット部材の左右方向の張りを強くしても、十分耐えることができる。
しかも、ネット部材の張り構造を妨げることなく、上補強枠に、例えばヘッドレストや衣服を掛けるためのハンガー等を簡単に装着することができるとともに、椅子を移動させる際に、上補強枠を手掛けとして用いることができる。
さらに、ネット部材の上部を、前記前面枠における上枠の前面から上面を経て後面へ巻き付けてあるので、ネット部材の上部を上枠に強く張設することができる。
【００１０】
(２)  背枠の前面にネット部材を張設した椅子の背凭れ構造において、前記背枠が、ネット部材の周縁部が止着された前面枠と、この前面枠における下部の左右方向を向く下枠の両端部に、中央部が前記下枠より後方に離間するようにして、両端部を結合することによって、前記前面枠のみに支持された左右方向を向く下補強枠とを備え、前記ネット部材の下部を、前記前面枠における下枠の前面から下面を経て後面へ巻き付ける。
【００１１】
このような構成とすると、背枠の前面枠における下枠の両端部に、中央部が後方に離間する下補強枠の両端部を結合したので、下枠を幅広とすることなく、背枠の下部の強度を保つことができ、スマートな印象を与えることができるだけでなく、椅子の移動時に、例えば椅子同士が当接しても、下枠が下補強枠によって保護されるので、下枠やネット部材の下部の損傷を防止することができる。
また、下補強枠を設けたことにより、ネット部材の左右方向の張りを強くしても、十分に耐えることができる。
さらに、ネット部材の下部を、下枠の前面から下面を経て後面へ巻き付けてあるので、ネット部材の下部を下枠に強く張設することができる。
【００１２】
(３)  背枠の前面にネット部材を張設した椅子の背凭れ構造において、前記背枠が、ネット部材の周縁部が止着された前面枠と、この前面枠における上部および下部の左右方向を向く上枠および下枠の両端部に、中央部が前記上枠および下枠より後方に離間するようにして、両端部を結合することによって、前記前面枠のみに支持された左右方向を向く上補強枠および下補強枠とを備え、前記ネット部材の上部を、前記前面枠における上枠の前面から上面を経て後面へ巻き付け、かつ前記ネット部材の下部を、前記前面枠における下枠の前面から下面を経て後面へ巻き付ける。
【００１３】
このような構成とすると、上述した(１)項および(２)項記載の発明のそれぞれの効果を奏することができるとともに、特に、前面枠の上下部に設けた上下補強枠により、ネット部材の左右方向の張力に対向する大きな強度を得ることができるとともに、ネット部材の上部を、前面枠における上枠の前面から上面を経て後面へ巻き付け、かつネット部材の下部を、前面枠における下枠の前面から下面を経て後面へ巻き付けてあるので、ネット部材の左右方向の張りを強くすることができる。
【００１４】
(４)  上記(１)〜(３)項のいずれかにおいて、前面枠が、左右方向を向く上下の上枠および下枠と、この上下枠の各端部同士を連結する左右の側枠とからなるものとし、ネット部材の両側縁に止着した縁材を、前面枠における左右の側枠の外側面に設けた長手方向を向く縦溝条に嵌合し、かつネット部材の上縁または下縁に止着した、先端部に鉤形部を有する縁材を、前記上枠の下面と前面との角部、または前記下枠の上面と前面との角部に係止することにより、ネット部材を前面枠に張設する。
【００１５】
このような構成とすると、ネット部材を背枠の前面全体に亘って強く、しかも簡単に張設することができるとともに、椅子の外観に占める背枠の割合を少なくすることができ、デザイン的にスマートな印象を与えることができる。
【００１６】
(５)  上記(１)〜(４)項のいずれかにおいて、前面枠が、左右方向を向く上下の上枠および下枠と、この上下枠の各端部同士を連結する左右の側枠とからなるものとし、前面枠における上枠および下枠を、左右の側枠より幅狭とする。
【００１７】
このような構成とすると、前面枠における上枠および下枠が左右の側枠に対し幅狭に形成されるので、左右の側枠でネット部材の両側部を保持しつつ、上枠および下枠が若干弾性撓曲することができ、着座者が背凭れに凭れた際に、着座者にソフト感を与えることができる。
【００１８】
(６)  上記(２)もしくは(３)項、またはそれらのいずれかに従属する(４)もしくは(５)項において、前面枠における上枠と左右の側枠と下補強枠とを一体的に形成し、かつ下枠の左右の両端部を、下補強枠に前方よりねじ止めする。
【００１９】
このような構成とすると、椅子の使用時には、ねじの頭部が前方のネット部材により覆われて露呈せず、椅子の廃棄時には、工具をネット部材に突き刺してねじの頭部に係合し、ねじを外すことにより、下枠を下補強枠から外して、ネット部材の下縁を背枠から簡単に外すことができる。その後、ネット部材の上縁、次いで左右の側縁を背枠から順次外すことにより、ネット部枠を背枠から分別して廃棄したり、新しいものと交換したりすることができる。
【発明の効果】
【００２０】
本発明によると、背枠が椅子の外観に占める割合が小さく、デザイン的にスマートであり、軽量化、部品数の削減、および組立性の向上を図ることができるようにした椅子の背凭れ構造を提供することができる。
【図面の簡単な説明】
【００２１】
【図１】本発明の一実施形態を備える椅子の正面図である。
【図２】同じく、側面図である。
【図３】同じく、後方から視た全体斜視図である。
【図４】同じく、背凭れを前方から視た斜視図である。
【図５】同じく、図４のＶ−Ｖ線断面図である。
【図６】同じく、図４のVI−VI線断面図である。
【図７】同じく、図４におけるVII部の拡大斜視図である。
【図８】同じく、上枠後部の上補強枠にハンガーを取り付けた背枠の部分斜視図である。
【発明を実施するための最良の形態】
【００２２】
以下、本発明の一実施形態を、添付図面を参照して説明する。図１および図２は、本発明の一実施形態を備える椅子の外観を示しており、図１は正面図、図２は側面図である。この実施形態は、椅子の背凭れ構造をリクライニング椅子に適用したものである。
【００２３】
図１および図２に示すように、リクライニング椅子(１)は、先端部にキャスタ(２)が設けられた放射状の５本の脚杆(３)を有する脚体(４)を備えている。脚体(４)の中央には、ガススプリング(５)を備える伸縮式の脚柱(６)が立設され、脚柱(６)の上端には、支基(７)の後部が固着されている。
【００２４】
支基(７)は、前半部の上面が開口する平面菱形のほぼ中空箱状をなし、支基(７)の前部両側面には、左右両方に延出する腕部(８)(８)が一体的に形成されている。
【００２５】
支基(７)の前後方向のほぼ中央には、左右方向を向く六角軸よりなる枢軸(９)が貫通され、支基(７)より両側方に突出する枢軸(９)の両端部には、背凭れ(10)を支持する左右１対の背凭れ支持杆(11)(11)における前方を向く下部の前端部に形成された左右方向を向く筒部(11a)(11a)が固嵌され、枢軸(９)と背凭れ支持杆(11)(11)と背凭れ(10)とは、枢軸(９)の軸線を中心として、互いに一体となって、支基(７)に対して回動し得るようになっている。
【００２６】
支基(７)の内部には、枢軸(９)を反時計回り方向に付勢すゴムトーションユニットとその付勢力調整手段(図示略)とが、また支基(７)の前部下面の中央には、ゴムトーションユニットと連係されて、ゴムトーションユニットの付勢力を補助するガススプリングユニット(13)がそれぞれ設けられ、これらによって、背凭れ(10)を起立する方向に向けて付勢する付勢手段が形成されている。
【００２７】
左右の背凭れ支持杆(11)(11)における枢軸(９)より若干後方の部分には、短寸の起立腕(12)(12)が上向きに突設されており、各起立腕(12) (12)の上端部には、座(14)の両側部を支持する前後方向を向く左右1対の座受けフレーム(15)(15)の後端部が、左右方向を向く軸(16)をもって、それぞれ連結されている。
【００２８】
次ぎに、本発明の一実施形態である背凭れ構造につき、図３〜図８を参照して説明する。  
【００２９】
図３に示すように、背凭れ(10)を構成する背枠(17)は、正面形がほぼ方形(下部が若干幅狭となっている)の合成樹脂製の前面枠(18)を備えている。前面枠(18)は、左右方向を向く上下の上枠(18a)および下枠(18b)と、この上下枠(18a)(18b)の各端部同士を連結するとともに、上下枠(18a)(18b)より幅広とした、ほぼ上下方向を向く左側枠(18c)および右側枠(18d)とからなっている。これらの上下枠(18a)(18b)および左右側枠(18c)(18d)には、後述するネット部材の周縁が止着されている。            
【００３０】
図４および図５に示すように、左右側枠(18c)(18d)の外側面には、上下方向を向く１対の縦溝条(19)(20)が設けられている。
【００３１】
図６に示すように、上枠(18a)における下面と前面との角部、および下枠(18b)における上面と前面との角部には、左右方向を向く鉤形の横溝条(21)(22)が設けられている。
【００３２】
ネット部材(23)は、例えば高張力プラスチックその他の弾性を有する繊維をネット状に編むかまたは織ったもの(多孔性シート部材を含む)により形成され、ネット部材(23)の左右の側縁には、１対の縦溝条(19)(20)に嵌入される合成樹脂製の縁材(24)(24)が、また上下縁には、先端部に鉤形部(25a)(25a)を有し、上記横溝条(21)(22)に係合される合成樹脂製の縁材(25)(25)が、それぞれモールド成形により固着されている。
【００３３】
縁材(24)(24)(25)(25)が取付けられるネット部材(23)の寸法は、縁材(24)(24)(25)(25)が縦溝条(19)(20)および横溝条(21)(22)に挿入または係合されたとき、ネット部材(23)に適切な張力が付与されるように予め定められている。
【００３４】
従って、図５および図６に示すように、ネット部材(23)の左右の縁材(24)(24)を左右側枠(18c)(18d)の両縦溝条(19)(20)に嵌入するとともに、ネット部材(23)の上下の端部近傍を、上下枠(18a)(18b)の前面から上下面を経て後面へ巻き付けるようにして、上下の縁材(25)(25)を、上下の横溝条(21)(22)に係合させることにより、ネット部材(23)を、前面枠(18)の前面全体に亘って緊張状態で張設することができる。
【００３５】
このように、前面枠(18)の前面、すなわち背枠(17)の前面全てがネット部材(23)で覆われるため、椅子の外観に占める背枠(17)の割合が小さく、デザイン的にスマートな印象を与えることができる。
【００３６】
図３、図６および図８に示すように、前面枠(18)における上枠(18a)の後面両側部には、平面視円弧状の上補強枠(26)の左右の端部が、その中央部が上枠(18a)より後下方に離間するようにして一体的に結合され、上補強枠(26)と上枠(18a)とは、中央部が後方に凹入する平面視三ケ月状をなしている。
【００３７】
上補強枠(26)は、上枠(18a)と協働して、背枠(17)の上部の強度を保つとともに、着座者が背凭(10)に凭れた際に、上枠(18a)が若干弾性撓曲するのを許容する作用をする。
なお、上補強枠(26)には、その前方の上枠(18a)と離間していることを利用して、ネット部材(23)の取付を妨げることなく、例えば図４に想像線で示すように、ヘッドレスト(27)を着脱可能に取付けたり、図８に示すように、衣服を掛けるためのハンガーバー(28)を着脱自在に取付けることができる。
【００３８】
すなわち、ハンガー(28)は、中央の垂下部(29)を、上補強枠(26)の後面に当接し、その前後を１対の取付け金具(30)(30)をもって挾み、両取付け金具(30)(30)を、ねじ(31)(31)をもって締着することにより、上補強枠(26)に簡単に取付けることができる。
また、上補強枠(26)は、椅子を移動する際の手掛けとしても使用することができる。
【００３９】
図４および図７に示すように、前面枠(18)における左右側枠(18c)(18d)の下端部には、左右方向を向く下補強枠(32)の両端部が一体的に結合されている。下枠(18b)は、その中央部が下補強枠(32)より前方に離間するようにして、両端部が下補強枠(32)の両端部前面に当接され、かつねじ(33)をもって、前方よりねじ止めされている。
【００４０】
ネット部材(23)の下端部は、下枠(18b)を下補強枠(32)の前面にねじ止めした後に、下枠(18b)に下方より巻き付けられ、下方の縁材(25)を下枠(18b)の横溝条(22)に係止することにより、下枠(18b)に取り付けられる。椅子の廃棄時には、ドライバー等の工具(図示略)を、ネット部材(23)に突き刺して、ねじ(33)の頭部に係合し、ねじ(33)を回して外すことにより、下枠(18b)を下補強枠(32)から外すことができる。その後、ネット部材(23)の上縁、次いで、左右の側縁を、縁材(25)(24)(24)とともに上枠(18a)および左右側枠(18c)(18d)から順次外すことにより、ネット部材(23)を背枠(17)から分別して廃棄したり、新しいものと交換したりすることができる。
【００４１】
また、下補強枠(32)を設けたことにより、椅子(１)を移動した際に、例えば椅子同士が当接した際、下枠(18b)側が下補強枠(32)によって保護されるので、下枠(18b)やネット部材(23)の下端部が損傷するのを防止することができる。
【００４２】
前述した、実施形態では、前面枠(18)における上下枠(18a)(18b)の後面に上補強枠(26)および下補強枠(32)を取り付けた例につき説明したが、上補強枠(26)と下補強枠(32)とのいずれか一方を省略して実施することもできる。
【符号の説明】
【００４３】
(１)リクライニング椅子
(２)キャスタ
(３)脚杆
(４)脚体
(５)ガススプリング
(６)脚柱
(７)支基
(８)腕部
(９)枢軸
(10) 背凭れ
(11) 支持杆
(11a) 筒部
(12) 起立腕
(13) ガススプリングユニット
(14) 座
(15) 座受けフレーム
(16) 軸
(17) 背枠
(18) 前面枠
(18a) 上枠
(18b) 下枠
(18c) 左側枠
(18d) 右側枠
(19)(20) 縦溝条
(21)(22) 横溝条
(23) ネット部材
(24)(25) 縁材
(25a) 鉤形部
(26) 上補強枠
(27) ヘッドレスト
(28) ハンガー
(29) 垂下部
(30) 取付け金具
(31) ねじ
(32) 下補強枠
(33) ねじ
【図１】
0005496985.tif 000002
【図２】
0005496985.tif 000003
【図３】
0005496985.tif 000004
【図４】
0005496985.tif 000005
【図５】
0005496985.tif 000006
【図６】
0005496985.tif 000007
【図７】
0005496985.tif 000008
【図８】
0005496985.tif 000009